(57)【要約】【課題】  環境変化や経時変化によらず、より精度の高い画像読取が可能な画像読取装置および画像読取装置の制御方法を提供する。【解決手段】  プラテンガラス１０３と、標準板１０２を有する圧板１０１と、照明パネル１０６と、補正基準領域５３および画像読取領域５１を有し、光電変換素子が二次元に配列されたＣＣＤ１０５と、シェーディング補正回路２０５とを備え、原稿を載置せずに標準板１０２を照射し、シェーディング補正回路２０５が、補正基準領域５３における基準領域値１と画像読取領域５１における読取領域値とから第１の係数を算出し、所定のタイミングで標準板１０２を照射し、シェーディング補正回路２０５が補正基準領域５３における基準領域値２と基準領域値１とから第２の係数を算出し、シェーディング補正回路２０５が、原稿の画像情報を、第１の係数および第２の係数に基づいて補正することを特徴とする画像読取装置。【選択図】        図１
2007043468.tif 000002
【特許請求の範囲】
【請求項１】
原稿を載置する原稿載置台と、
標準部材を有し、前記原稿を押圧する押圧部材と、
前記原稿に光を照射する光源と、
前記標準部材からの反射光を受光する基準領域および原稿からの反射光を受光する読取領域を有し、光電変換素子が二次元に配列された画像読取手段と、
シェーディング補正を行う補正手段とを備えた画像読取装置であって、
原稿を載置しない状態で前記標準部材を照射し、前記画像読取手段が、前記標準部材からの反射光を前記基準領域および読取領域において受光し、前記補正手段が、前記基準領域における基準領域値１と前記読取領域における読取領域値とから第１の係数を算出し、
所定のタイミングで前記標準部材を照射し、前記補正手段が、前記基準領域における基準領域値２と前記基準領域値１とから第２の係数を算出し、
前記原稿載置台に載置された原稿画像が読み取られたときに、前記補正手段が、読み取られた画像情報を、前記第１の係数および第２の係数に基づいて補正することを特徴とする画像読取装置。
【請求項２】
請求項１に記載の画像読取装置において、前記第２の係数がシェーディング補正に影響を与えない程度に前記第１の係数に近似する範囲内であった場合、前記補正手段が、読み取られた画像情報を、前記第１の係数のみを用いて補正することを特徴とする画像読取装置。
【請求項３】
請求項１または２に記載の画像読取装置において、前記第１の係数が、前記基準領域値１と前記読取領域値との比率であり、前記第２の係数が、前記基準領域値１と前記基準領域値２との比率であることを特徴とする画像読取装置。
【請求項４】
原稿を載置する原稿載置台と、標準部材を有し、前記原稿を押圧する押圧部材と、前記原稿に光を照射する光源と、前記標準部材からの反射光を受光する基準領域および原稿からの反射光を受光する読取領域を有し、光電変換素子が二次元に配列された画像読取手段と、シェーディング補正を行う補正手段とを備えた画像読取装置の制御方法であって、
原稿を載置しない状態で前記標準部材を照射し、前記標準部材からの反射光を受光し、前記基準領域における基準領域値１と前記読取領域における読取領域値とから第１の係数を算出するステップと、
所定のタイミングで前記標準部材を照射し、前記基準領域における基準領域値２と前記基準領域値１とから第２の係数を算出するステップと、
前記原稿載置台に載置された原稿画像が読み取られたときに、読み取られた画像情報を、前記第１の係数および第２の係数に基づいて補正するステップとを含むことを特徴とする画像読取装置の制御方法。
【発明の詳細な説明】
【技術分野】
【０００１】
本発明は、画像読取装置および画像読取装置の制御方法に関し、特に電荷結合素子（以下、ＣＣＤ）等の固体撮像素子を用いて原稿の読み取りを行う画像読取装置および画像読取装置の制御方法に関するものである。
【背景技術】
【０００２】
近年、パーソナルコンピュータの普及と共に、画像読取装置の重要度が高まっている。
【０００３】
図１４は従来の一般的な原稿固定型画像読取装置の構成を示す図である。
【０００４】
図１４において、１は原稿、２は原稿１を載置するプラテンガラス、３は原稿１を照射する蛍光灯、４は第１ミラー、５は第２ミラー、６は第３ミラー、７は結像レンズ、８はＣＣＤである。このような構成で、蛍光灯３により照射された原稿１の反射光は、第１ミラー４、第２ミラー５、第３ミラー６、結像レンズ７を経てＣＣＤ８上に結像され、電気信号に変換される。
【０００５】
また、図１４に示された構成以外に、密着式イメージセンサを用いた画像読取装置が提案されている。密着式イメージセンサは、センサ自体は大きいが、画像読取装置全体としては小型化を図ることができる。この密着式イメージセンサを用いた画像読取装置の一例を図１５ないし図１７を用いて説明する。
【０００６】
図１５は密着式イメージセンサを用いた画像読取装置の概略断面図である。画像情報を読み込むために、原稿７は原稿台ガラス８上の所定の位置に、下向きにセットされる。また、原稿７は原稿台ガラス８上でずれないように原稿圧板９により上側から押えられる。
【０００７】
光電変換手段としてのイメージセンサを有する密着式のコンタクトセンサユニット６が、原稿７に対向した位置に配置される。コンタクトセンサユニット６は、一直線分の画像情報（１ライン分の主走査方向の画像情報）を読み取り可能に構成されている。また、コンタクトセンサユニット６は、不図示の駆動モータにより副走査方向（図中矢印方向）に平行移動して、原稿７の画像情報を読み取る。これにより原稿画像の２次元の平面情報が読み取り可能となっている。
【０００８】
図１６は、コンタクトセンサユニット６の概略断面図である。また、図１７は、コンタクトセンサユニット６の基本構成図である。ＬＥＤアレイ等の光源３により、原稿７の所要部分が主走査方向に線状に照射される。ここで、図１６および１７においては、原稿７をセットする原稿台ガラス８の図示は省略する。原稿７の画像面において反射された光は、セルフォックレンズ、ロッドレンズアレイ等の等倍結像レンズ４により、イメージセンサ５へ結像される。
【０００９】
イメージセンサ５は、結像された原稿画像について光電変換を行って画像情報を作成する。そして、１ライン分のデータを処理した後、コンタクトセンサユニット６を１ライン分副走査方向に移動し、同様に画像情報を作成して行く。多くの場合、コンタクトセンサユニット６は、原稿幅と同一サイズのイメージセンサ、セルフォックレンズ、光源等を組み合わせて、一つのユニットを構成している（図１７中の二点鎖線）。
【００１０】
上記構成の画像読取装置においては、光学的距離を確保するために、また画像を読み取る際に光学部品を移動させる必要があることから、構成規模が大きくなるという問題があった。
【００１１】
これに対して、近年提案されているイメージ入力の可能なイメージセンサ付表示入力一体型装置に備えられたイメージ入力手段（画像読取手段）がある（例えば、特許文献１参照）。この画像読取手段は、透過型の平面状（二次元）イメージセンサ（エリアセンサ）を用いることによって、小型化を実現している。
【特許文献１】特開平５−１７３７０９号公報
【発明の開示】
【発明が解決しようとする課題】
【００１２】
ところで、画像読取装置においては、読み取る画像の画質向上のために、光学部品の光学的特性、光電変換素子の感度ばらつき、あるいは照明の配光特性等を補正するシェーディング補正が必要である。
【００１３】
ここで、上記従来例に係るイメージセンサ付表示入力一体型装置に備えられた画像読取手段等の二次元状に配列された光電変換素子を有する画像読取装置のシェーディング補正は以下のように行われている。すなわち、画像読取装置の製造時に、光学部品、光電変換素子あるいは照明等の補正値を、画像読取装置内に固定値として予め記憶させておく。そして、読み取った画像に対してその固定値を用いて補正する手法がとられている。
【００１４】
しかしながら、この補正方法の場合、画像読取装置の置かれる環境の変化や経時変化により、光学部品の光学的特性、光電変換素子の感度、照明の配光特性等が変化し、記憶された初期状態での補正値では、十分に補正できないといった問題がある。
【００１５】
本発明は、このような問題点に鑑みて為されたものであり、その目的とする処は、環境変化や経時変化によらず、より精度の高い画像読取が可能な画像読取装置および画像読取装置の制御方法を提供することにある。
【課題を解決するための手段】
【００１６】
本発明は上述した課題を解決するためになされたものであり、以下の構成を備える。
【００１７】
（１）原稿を載置する原稿載置台と、標準部材を有し、前記原稿を押圧する押圧部材と、前記原稿に光を照射する光源と、前記標準部材からの反射光を受光する基準領域および原稿からの反射光を受光する読取領域を有し、光電変換素子が二次元に配列された画像読取手段と、シェーディング補正を行う補正手段とを備えた画像読取装置であって、原稿を載置しない状態で前記標準部材を照射し、前記画像読取手段が、前記標準部材からの反射光を前記基準領域および読取領域において受光し、前記補正手段が、前記基準領域における基準領域値１と前記読取領域における読取領域値とから第１の係数を算出し、所定のタイミングで前記標準部材を照射し、前記補正手段が、前記基準領域における基準領域値２と前記基準領域値１とから第２の係数を算出し、前記原稿載置台に載置された原稿画像が読み取られたときに、前記補正手段が、読み取られた画像情報を、前記第１の係数および第２の係数に基づいて補正することを特徴とする画像読取装置。
【００１８】
（２）原稿を載置する原稿載置台と、標準部材を有し、前記原稿を押圧する押圧部材と、前記原稿に光を照射する光源と、前記標準部材からの反射光を受光する基準領域および原稿からの反射光を受光する読取領域を有し、光電変換素子が二次元に配列された画像読取手段と、シェーディング補正を行う補正手段とを備えた画像読取装置の制御方法であって、原稿を載置しない状態で前記標準部材を照射し、前記標準部材からの反射光を受光し、前記基準領域における基準領域値１と前記読取領域における読取領域値とから第１の係数を算出するステップと、所定のタイミングで前記標準部材を照射し、前記基準領域における基準領域値２と前記基準領域値１とから第２の係数を算出するステップと、前記原稿載置台に載置された原稿画像が読み取られたときに、読み取られた画像情報を、前記第１の係数および第２の係数に基づいて補正するステップとを含むことを特徴とする画像読取装置の制御方法。
【発明の効果】
【００１９】
本発明によれば、環境変化や経時変化によらず、より精度の高い画像読取が可能な画像読取装置および画像読取装置の制御方法を提供することができる。
【発明を実施するための最良の形態】
【００２０】
以下本発明の実施例について、図面を参照しながら説明する。
【００２１】
ただし、この実施例に記載されている構成部品の寸法、材質、形状、その相対配置等は、特に特定的な記載がない限りは、この発明の範囲をそれらのみに限定する趣旨のものではない。
【実施例１】
【００２２】
図１は本実施例に係る画像読取装置の全体構成を示すブロック図である。
【００２３】
１０３は、読み取られる原稿００を置載する原稿載置台としてのプラテンガラスである。１０５は、プラテンガラス１０３上に置載された原稿００を読み取るための画像読取手段としてのＣＣＤである。ＣＣＤ１０５は、光電変換素子が二次元状に配列された透過型ＣＣＤである。１０６は、プラテンガラス１０３上に置載された原稿００を読み取る時に、原稿００の読取面を所定の光量で光を照射する光源としての照明パネルである。１０４は、原稿００からの反射光を集光し、ＣＣＤ１０５の受光面に結像するマイクロレンズアレイである。
【００２４】
１０７は、照明パネル１０６の光量を制御する調光回路である。１０８は、ＣＣＤ１０５からの出力信号を処理するビデオ信号処理回路である。１１０は、ビデオ信号処理回路１０８からの出力データを格納する記憶回路である。１１１は、不図示の外部装置との間でデータの送受信を行うインターフェース回路である。１１２は、外部から供給される電力のレギュレーションを行い、画像読取装置内に給電する電源回路である。１０９は、画像読取装置の動作を制御するＣＰＵである。
【００２５】
プラテンガラス１０３、マイクロレンズアレイ１０４、ＣＣＤ１０５、照明パネル１０６、調光回路１０７、ビデオ信号回路１０８、ＣＰＵ回路１０９、記憶回路１１０、インターフェース回路１１１、電源回路１１２は筐体１００内に格納されている。
【００２６】
押圧部材としての圧板１０１はプラテンガラス１０３上に置載された原稿００をプラテンガラス面に適切な状態に接触保持させ、不要な外光を遮る。また、圧板１０１には、原稿００を押さえる側の面に、所定の面積と反射濃度を有する標準部材としての標準板１０２が設けられている。
【００２７】
次に、本実施例に係る画像読取装置を構成する主要ブロックについて説明する。
【００２８】
図２ないし図４を用いて、透過型のエリアセンサであるＣＣＤ１０５の構成の一例を説明する。図２はＣＣＤ１５の概略斜視図、図３は図２におけるＢ−Ｂ線断面図、図４は図２におけるＡ−Ａ線断面図である。
【００２９】
透光性絶縁基板１０の一方の主面１１に、受光面電極１２、半導体光活性層１３および背面電極１４をこの順序で積層した光電変換素子ＬＳが、有効受光領域のほぼ全域に亘って離間して分散配置されている。これらの光電変換素子ＬＳは図２に示されるＸ軸方向およびＹ軸方向にマトリックス状に配線された導電パターン１２Ｘ、１２Ｙを介して電気的に並列接続されている。
【００３０】
このように、光電変換素子ＬＳが有効受光領域に分散配置されるとともに、導電パターン１２Ｘ、１２Ｙを介して電気的に並列接続されているため、ＣＣＤ１５は、有効受光領域の全域から光電出力を得ることができる。
【００３１】
次に、ビデオ信号処理回路１０８について説明する。図５はビデオ信号処理回路１０８の機能構成を説明するブロック図である。
【００３２】
ビデオ信号処理回路１０８は、不図示のカップリングコンデンサによってＡＣ結合して、ＣＣＤ１０５の１画素の出力信号のＤＣ成分を除去する。そして、サンプル／ホールド回路２０１でＣＣＤ１０５のリセットパルスのノイズ成分を除去する。また、前段のクランプ回路２０２で、パルス発生回路２０７より出力されるサンプリングパルスにより基準電圧と画像信号のダーク部が一致するようにクランプをかける。それを可変増幅器２０３で増幅した後、後段のクランプ回路２０８でさらに基準電圧と比較してクランプをかけ、ＡＤ変換器２０４でデジタル画像信号に変換する。
【００３３】
デジタル画像信号は補正手段としてのシェーディング補正回路２０５によりＣＣＤ１０５の光電変換素子毎の感度のばらつきや、照明パネル１０６の配光特性などが補正される。そして、画像信号処理回路２０６により、所定のフィルタ処理、濃度変換処理を行う。
【００３４】
続いて、照明パネル１０６について説明する。図６は照明パネル１０６の一例として、発光源としてのＬＥＤを有する、白色照明を目的とした液晶表示用バックライトユニットの主要部を示す図である。図６（ａ）は斜視図、図６（ｂ）は図６（ａ）におけるＡ−Ａ線断面図である。
【００３５】
図６において、６１０はバックライトユニットであり、導光板６０１と発光源としてのＬＥＤ６０２を有する。導光板６０１は無色透明なプラスチック材等の透光部材より成り、板状、略直方体形状である。導光板６０１は、その一方の主面を光出射面６０１ａとし、光出射面６０１ａと対向する面には光拡散面６０１ｂが形成される。光拡散面６０１ｂは、ＬＥＤ６０２からの光を光出射面６０１ａに向けて反射させるために、その表面に複数の微小なシボまたは複数個の半球状ドット等を有する。
【００３６】
ＬＥＤ６０２は、ＬＥＤ基板６０３に支持されて導光板６０１の入光側面６０１ｃに対向する位置に配設される。ＬＥＤ６０２は、不図示の駆動回路から所定の電流が供給されて、白色照明を目的とした光を発光、出射する。
【００３７】
図７を用いて、マイクロレンズアレイ１０４について説明する。図７はマイクロレンズアレイ１０４の一例として平板マイクロレンズアレイを模式的に示した部分斜視図である。
【００３８】
図７に示す平板マイクロレンズアレイは、例えば屈折率（Ｎ）０の透明平板ガラス基板２６内に、異なる屈折率（Ｎ）の領域を、周期性をもって形成して成る、いわゆる屈折率分布型の平板マイクロレンズアレイとして構成されている。
【００３９】
図８は、マイクロレンズアレイ１０４の形状とＣＣＤ１０５との位置関係を説明する模式図である。図８において、斜線領域１８はＣＣＤ１０５中の１画素に対応した領域である。そして、斜線領域１８内の実線枠は遮光部１５である。また、図８中の破線枠がマイクロレンズアレイ１０４の個々のレンズ形状、すなわち単位レンズ部１６ａの外形形状を示している。
【００４０】
図７から明らかなように、マイクロレンズアレイ１０４の個々のレンズ（単位レンズ部１６ａ群）の形状並びにその配列が、ＣＣＤ１０５中の１画素に対応した斜線領域１８と、同一形状で且つ同一配列と成るように構成される。
【００４１】
プラテンガラス１０３、マイクロレンズアレイ１０４、ＣＣＤ１０５、照明パネル１０６はこの順で一体型に構成されていてもよいし、あるいはそれぞれをユニットにして構成してもよい。
【００４２】
圧板１０１に取り付けられている標準板１０２は、所定の面積を有する。好ましくは、標準板１０２は、ＣＣＤ１０５以上の面積を有する。また、標準板１０２表面の反射濃度は所定の範囲内になるように管理される。
【００４３】
次に本実施例に係る画像読取装置のシェーディング補正方法について説明する。
【００４４】
図９（ａ）は、ＣＣＤ１０５と標準板１０２との位置関係を示す透視図である。図９（ｂ）は、プラテンガラス１０３に原稿００を置いた状態での位置関係を示す図である。
【００４５】
ＣＣＤ１０５は、画像読取領域５１と補正基準領域５３とから成る。補正基準領域５３は、標準板１０２を読み取ってシェーディング補正の基準とする領域である。前述のとおり、標準板１０２はＣＣＤ１０５以上の面積を有している。
【００４６】
図１０はＣＣＤ１０５の光電変換素子の配列を示した模式図である。
【００４７】
ＣＣＤ１０５の補正基準領域５３には、ＣＣＤ１０５の画像読取領域５１の主走査方向に亘るように光電変換素子Ｒ（ｙ）：（ｙ＝０〜ｎ）が配置されている。また、画像読取領域５１は光電変換素子Ｉ（ｘｙ）：（ｘ＝０〜ｍ、ｙ＝０〜ｎ）で構成されている。
【００４８】
図１１のフローチャートを用いて、シェーディング補正回路２０５で行われるシェーディング補正の第１の補正係数を算出する方法を説明する。
【００４９】
画像読取装置において、ユーザは、不図示の操作パネルより「シェーディング補正係数取得モード」を選択する（ステップＳ１１０１）。そして、プラテンガラス１０３上に原稿００を置載せずに圧板１０１を閉じる（ステップＳ１１０２）。ユーザは不図示の操作パネル上のスタートスイッチを押下する（ステップＳ１１０３）。すると、ＣＰＵ１０９はスタートスイッチの押下を検知し、照明パネル１０６を点灯させる（ステップＳ１１０４）。
【００５０】
所定時間経過後、ＣＣＤ１０５は標準板１０２からの反射光を読み取り、補正基準領域データＲ（ｙ）０（Ｒ（０）０〜Ｒ（ｎ）０）、画像読取領域データＩ（ｘｙ）０（Ｉ（００）０〜Ｉ（ｍｎ）０）として、記憶回路１１０に格納する（ステップＳ１１０５、Ｓ１１０６）。
【００５１】
続いて、方程式：ｐ（ｘｙ）＝Ｉ（ｘｙ）０／Ｒ（ｙ）０にしたがって、読み取ったデータＲ（ｙ）０とＩ（ｘｙ）０とから、第１の補正係数ｐ（ｘｙ）を求める。すなわち、第１の補正係数ｐ（ｘｙ）は、補正基準領域データＲ（ｙ）０の特定の主走査位置のデータＲ（Ｎ）０と、画像読取領域データＩ（ｘｙ）０の同一の主走査位置のデータＩ（ｘＮ）０とから第１の補正係数ｐ（ｘＮ）が算出される。
【００５２】
本実施例においては、まず、主走査位置がｙ＝０での第１の補正係数ｐ（ｘ０）（ｘ＝０〜ｍ）を算出する（ステップＳ１１０７〜Ｓ１１１０）。続いて同じ動作をｙ＝１〜ｎまで実行して全画素について第１の補正係数を算出し（ステップＳ１１１１〜Ｓ１１１３）、その結果を記憶回路１１０に格納する。
【００５３】
全画素において第１の補正係数を算出した後、照明パネル１０６を消灯し、終了する（ステップＳ１１１４）。
【００５４】
次に、シェーディング補正回路２０５で行われるシェーディング補正の第２の補正係数を算出する方法および実際の画像読取時におけるシェーディング補正動作について説明する。
【００５５】
図１２はシェーディング補正動作を説明するフローチャートである。
【００５６】
ユーザは画像読取装置の不図示の操作パネル上で画像読取モードを選択し、プラテンガラス１０３上に原稿００を置載する。そして、圧板１０１を閉じて、操作パネル上のスタートボタンを押下する（ステップＳ１２０１〜Ｓ１２０３）。ＣＰＵ１０９はスタートボタンの押下を検知して、照明パネル１０６を点灯させる（ステップＳ１２０４）。
【００５７】
所定時間経過後、ＣＣＤ１０５は補正基準領域５３における標準板１０２からの反射光を読み取り、その読取値をＲ（ｙ）１（Ｒ（０）１〜Ｒ（ｎ）１）として記憶回路１１０に格納する（ステップＳ１２０５）。
【００５８】
続いて、方程式：ｑ（ｘｙ）＝Ｒ（ｙ）１／Ｒ（ｙ）０にしたがって、Ｒ（ｙ）０（Ｒ（０）０〜Ｒ（ｎ）０）とＲ（ｙ）１（Ｒ（０）１〜Ｒ（ｎ）１）とから第２の補正係数ｑ（ｘｙ）を算出する（ステップＳ１２０６）。
【００５９】
方程式：Ｉ（ｘｙ）＝ｉ（ｘｙ）×ｐ（ｘｙ）×ｑ（ｘｙ）にしたがって、画像読取領域５１で読み取った画像データｉ（ｘｙ）について、第１の補正係数ｐ（ｘｙ）、と第２の補正係数ｑ（ｘｙ）とを乗算し、シェーディング補正後の画像データＩ（ｘｙ）を生成する（ステップＳ１２０７、Ｓ１２０８）。同様の動作を繰り返して、全画素についてシェーディング補正後の画像データＩ（ｘｙ）を生成する（ステップＳ１２０９〜Ｓ１２１４）。
【００６０】
読取終了後、照明パネル１０６を消灯し、終了する（ステップＳ１２１５）。
【００６１】
以上説明したように、本実施例に係るシェーディング補正を実施することにより、画像読取装置の置かれる環境の変化、経時変化による光学部品の光学的特性、光電変換素子の感度、照明の配光特性の変化によらず、より精度の高い画像読取が可能となる。
【実施例２】
【００６２】
続いて、実施例２について説明する。前述の実施例１では、シェーディング補正を第１の補正係数と第２の補正係数とを用いて行った。本実施例においては、第１の補正係数のみを用いてシェーディング補正を行うものである。実施例１に係る画像読取装置と同一の構成については同一の符号を付す。また、本実施例については、実施例１と異なる点についてのみ説明する。
【００６３】
図１３は本実施例に係る画像読取装置におけるシェーディング補正動作を説明するフローチャートである。
【００６４】
第２の補正係数ｑ（ｘｙ）を算出した後（ステップＳ１２０６）、ＣＰＵ１０９は、第２の補正係数ｑ（ｘｙ）を所定値Ｇおよびｇ（ここでＧおよびｇは、Ｇ＞ｇとする）と比較する（ステップＳ１２０６−１）。ここで、本実施例においては、所定値Ｇおよびｇを、シェーディング補正に影響を与えない程度に第１の補正係数に近似する範囲の値とした。
【００６５】
第２の補正係数ｑ（ｘｙ）がＧとｇとの範囲外である場合には、シェーディング補正係数Ｋを、Ｋ＝ｐ（ｘｙ）×ｑ（ｘｙ）とする（ステップＳ１２０６−２）。一方、第２の補正係数ｑ（ｘｙ）が所定値Ｇとｇとの範囲内である場合には、シェーディング補正係数Ｋを、Ｋ＝ｐ（ｘｙ）とする（ステップＳ１２０６−３）。
【００６６】
画像読取領域５１で読み取った画像データｉ（ｘｙ）は、シェーディング補正係数Ｋを用いて補正される（ステップＳ１２０８′）。
【００６７】
以上説明したように、本実施例によれば、第２の補正係数が所定範囲内である場合、すなわち第１の補正係数と近似する場合には、第１の補正係数のみでシェーディング補正を行うことで、実施例１と同様の効果を得ることができると共に、画像読取時間を短縮することができる。
【図面の簡単な説明】
【００６８】
【図１】実施例１に係る画像読取装置の全体構成を示すブロック図
【図２】ＣＣＤの構成の一例を説明する図
【図３】ＣＣＤの構成の一例を説明する図
【図４】ＣＣＤの構成の一例を説明する図
【図５】ビデオ信号処理回路のブロック図
【図６】（ａ）および（ｂ）は照明パネルの一例を示す図
【図７】マイクロレンズアレイの一例を示す部分斜視図
【図８】マイクロレンズアレイの一例を示す図
【図９】（ａ）および（ｂ）はＣＣＤと標準板との位置関係を示す図
【図１０】ＣＣＤの光電変換素子の配列を示した模式図
【図１１】第１の補正係数の算出方法を説明するフローチャート
【図１２】シェーディング補正動作を説明するフローチャート
【図１３】実施例２に係るシェーディング補正動作を説明するフローチャート
【図１４】従来例に係る原稿固定型画像読取装置の構成を示す図
【図１５】従来例に係る密着式イメージセンサを用いた画像読取装置の概略断面図
【図１６】従来例に係るコンタクトセンサユニットの概略断面図
【図１７】従来例に係るコンタクトセンサユニットの基本構成図
【符号の説明】
【００６９】
５１  画像読取領域（読取領域に対応）
５３  補正基準領域（基準領域に対応）
１０１  圧板（押圧部材に対応）
１０２  標準板（標準部材に対応）
１０３  プラテンガラス（原稿載置台に対応）
１０５  ＣＣＤ（画像読取手段）
１０６  照明パネル（光源に対応）
２０５  シェーディング補正回路（補正手段に対応）
【図１】
2007043468.tif 000003
【図２】
2007043468.tif 000004
【図３】
2007043468.tif 000005
【図４】
2007043468.tif 000006
【図５】
2007043468.tif 000007
【図６】
2007043468.tif 000008
【図７】
2007043468.tif 000009
【図８】
2007043468.tif 000010
【図９】
2007043468.tif 000011
【図１０】
2007043468.tif 000012
【図１１】
2007043468.tif 000013
【図１２】
2007043468.tif 000014
【図１３】
2007043468.tif 000015
【図１４】
2007043468.tif 000016
【図１５】
2007043468.tif 000017
【図１６】
2007043468.tif 000018
【図１７】
2007043468.tif 000019